(57)【要約】      （修正有）【課題】リモートコンローラのケースにおいて、ボトムケースとトップケースとの結合手段をビス止め構造以外により構成して、組立作業性と分解作業性とを両立させることのできる構造を提供する。【解決手段】ボトムケース２とトップケース３との結合手段６を、ボトムケース２側の係合孔６２と、トップケース３側の連結杆６３とによって構成する。連結杆６３に円錐状頭部６４を具備させると共に、その連結杆６３を割り溝６６により周方向で２分割する。円錐状頭部６４の底面を係合孔６２に対する係合面６５とする。円錐状頭部６４に操作リング７を保持させ、この操作リング７を押し下げることによって係合面６５を変位させることができる。電池蓋５に操作リング７を押し下げるための操作片５２を追加する。【選択図】        図１
2007123298.tif 000002
【特許請求の範囲】
【請求項１】
箱形に重ね合わされたボトムケースとトップケースとを結合することにより形成されたケース本体に対して、当該リモートコンローラの動作用電源としての乾電池を出し入れする際に取り外される電池蓋が着脱可能であり、かつ、上記ボトムケースとトップケースとの結合手段がビス止め構造によって形成されているリモートコンローラのケースにおいて、
ボトムケースとトップケースとの結合手段としての上記ビス止め構造を省略する代わりに、その結合手段を、ボトムケースとトップケースとのうちの一方側に形成された凹入部の底壁に開設された係合孔と、それらのうちの他方側に設けられて上記係合孔に挿入されてその係合孔の孔縁に係止した係合面を備える連結杆とによって構成し、
上記係合面を、上記連結杆に一体に設けられて割り溝により周方向で２分割された円錐状頭部の底面により形成することによって、その係合面を上記係合孔に挿抜可能な内側位置と上記係合孔の孔縁に係止する外側位置との間で弾性変位可能に構成してあると共に、上記円錐状頭部が上記凹入部によって形作られた凹所に収容され、
上記電池蓋を上記ケース本体に装着したときにそのケース本体側の被係合部に係合されるロック用係合片がその電池蓋に備わり、そのロック用係合片の先端に上記連結杆の割り溝を拡縮変形させるための操作片が追加して連設され、その操作片の横幅寸法が上記円錐状頭部の底面の直径寸法よりも短く定められ、かつ、その操作片が上記円錐状頭部の頂部を跨いでその円錐状頭部の傾斜した外周面を下向きに押圧することのできる二股状の突片部を有していることを特徴とするリモートコンローラのケース。
【請求項２】
箱形に重ね合わされたボトムケースとトップケースとを結合することにより形成されたケース本体に対して、当該リモートコンローラの動作用電源としての乾電池を出し入れする際に取り外される電池蓋が着脱可能であり、かつ、上記ボトムケースとトップケースとの結合手段がビス止め構造によって形成されているリモートコンローラのケースにおいて、
ボトムケースとトップケースとの結合手段としての上記ビス止め構造を省略する代わりに、その結合手段を、ボトムケースとトップケースとのうちの一方側に形成された凹入部の底壁に開設された係合孔と、それらのうちの他方側に設けられて上記係合孔に挿入されてその係合孔の孔縁に係止した係合面を備える連結杆とによって構成し、
上記係合面を、上記連結杆に一体に設けられて割り溝により周方向で２分割された円錐状頭部の底面により形成することによって、その係合面を上記係合孔に挿抜可能な内側位置と上記係合孔の孔縁に係止する外側位置との間で弾性変位可能に構成してあると共に、上記円錐状頭部が上記凹入部によって形作られた凹所に収容され、
上記電池蓋を上記ケース本体に装着したときにそのケース本体側の被係合部に係合されるロック用係合片がその電池蓋に備わり、そのロック用係合片の先端に上記連結杆の割り溝を拡縮変形させるための操作片が追加して連設され、その操作片の横幅寸法が上記円錐状頭部の底面の直径寸法よりも短く定められ、
上記円錐状頭部の頂部に、その円錐状頭部の傾斜した外周面と共働して溝形部を形作る鍔部が備わり、その溝形部に、上記操作片を使って押下げられることによりその円錐状頭部を径内方向に押圧して上記割り溝を縮小変形させる操作リングが嵌合保持されていることを特徴とするリモートコンローラのケース。
【請求項３】
箱形に重ね合わされたボトムケースとトップケースとを結合することにより形成されたケース本体に対して、当該リモートコンローラの動作用電源としての乾電池を出し入れする際に取り外される電池蓋が着脱可能であるリモートコンローラのケースにおいて、
ボトムケースとトップケースとを結合している結合手段が、ボトムケースとトップケースとのうちの一方側に設けられた係合孔と、それらのうちの他方側に設けられて上記係合孔に挿入されてその係合孔の孔縁に係止する係合面を備えた連結杆とでなり、
その連結杆に拡縮変形可能な割り溝を形成することによって上記係合面を上記係合孔に挿抜可能な内側位置と上記係合孔の孔縁に係止する外側位置との間で弾性変位可能に構成してあると共に、上記電池蓋に上記連結杆の割り溝を拡縮変形させるための操作片を追加して具備させてあることを特徴とするリモートコンローラのケース。
【請求項４】
上記係合面が、上記連結杆に一体に設けられた円錐状頭部の底面によって形成されていて、その円錐状頭部が上記割り溝により周方向で複数分割されている請求項４に記載したリモートコンローラのケース。
【請求項５】
ボトムケースとトップケースとのうちの一方側に形成された凹入部の底壁に上記係合孔が開設されていて、ボトムケースとトップケースとを結合している結合手段の上記円錐状頭部が、上記凹入部によって形作られた凹所に収容されている請求項３又は請求項４に記載したリモートコンローラのケース。
【請求項６】
上記円錐状頭部が上記割り溝により周方向で２分割されていて、電池蓋に形成されている上記操作片が、上記円錐状頭部の頂部を跨いでその円錐状頭部の傾斜した外周面を下向きに押圧することのできる二股状の突片部を有している請求項５に記載したリモートコンローラのケース。
【請求項７】
上記円錐状頭部の頂部に、その円錐状頭部の傾斜した外周面と共働して溝形部を形作る鍔部が備わり、その溝形部に、上記操作片を使って押下げられることによりその円錐状頭部を径内方向に押圧して上記割り溝を縮小変形させる操作リングが嵌合保持されている請求項４又は請求項５に記載したリモートコンローラのケース。
【請求項８】
上記電池蓋を上記ケース本体に装着したときにそのケース本体側の被係合部に係合されるロック用係合片がその電池蓋に備わっていると共に、そのロック用係合片の先端に、上記操作片が連設されている請求項１ないし請求項７のいずれか１項に記載したリモートコンローラのケース。
【発明の詳細な説明】
【技術分野】
【０００１】
本発明は、リモートコンローラのケース、特に、箱形に重ね合わされたボトムケースとトップケースとを結合することにより形成されているケース本体に、動作用電源としての乾電池を出し入れする際に取り外される電池蓋が着脱可能になっているリモートコンローラのケースに関する。
【背景技術】
【０００２】
図１１に従来のリモートコンローラのケースＡを裏面図で示してある。このケースＡは、ボトムケース２と図に現れていないトップケースとを箱形に重ね合わせることによって形成された偏平なケース本体１に対して電池蓋５が着脱可能とされていて、その電池蓋５は、当該リモートコンローラの動作用電源としての乾電池を出し入れする際にケース本体１から取り外される。また、ボトムケース２とトップケースとの結合手段にはビス止め構造が採用されていて、トップケース側のボス３１にねじ込まれた取付けビス（不図示）の頭部がボトムケース２側の複数箇所に具備された凹入部２１に収容されていた。
【０００３】
また、ボトムケースとトップケースとの結合手段としてフック構造を採用し、たとえばボトムケース側に具備させたフックをトップケース側の係合孔に孔縁に係止させるという構造を採用することもあった。
【０００４】
一方、テレビジョン受像機やラジオ受信機などのキャビネットにパネルを取り付ける機構として、作業能率に劣るねじ締め作業を省略するという意図の下で、パネル側のボスの先端に具備させた掛止片をキャビネット側の挿通孔に挿通させてその挿通孔端縁に掛支させるという構造を採用することがあった（たとえば、特許文献１参照）。また、音響機器のキャビネットを構成するシャーシフレームと操作パネルとをビスを用いずに固定する構造として、操作パネル側に具備させたリブの分割先端部をシャーシフレーム側のスリット開口に挿入して係合させるものが知られていた（たとえば、特許文献２参照）。さらに、テレビ、ラジオなどの電子機器のアングルにパネルを取り付けるに当り、取付ビスをねじ込む際の仮止め作業を省略するという意図の下で、バネル側に鉤状の係止片と円筒状のリブとを形成しておき、そのリブをアングル側の位置決め孔に嵌合することと併せて、その係止片をアングル側の係止孔に係止させるという技術も既に提案されている（たとえば、特許文献３参照）。さらに、箱本体部と蓋部とを備える箱体において、箱本体部側の中空の取付ボスを蓋部側の取付孔に嵌合させると共に、その取付ボスに係着部材を嵌合した状態で、その取付ボスの中空部分に楔状の栓部を挿入してその取付ボスを拡径させることにより箱本体部と蓋部とを結合するという構成も既に提案されている（たとえば、特許文献４参照）。
【特許文献１】実開昭６３−１５５６７１号公報
【特許文献２】実開平２−２７７７１号公報
【特許文献３】実開昭５０−６０９２６号公報
【特許文献４】特開平７−８６７６７号公報
【発明の開示】
【発明が解決しようとする課題】
【０００５】
しかしながら、図１１を参照して説明した従来例では、互いに重ね合わせたボトムケース２とトップケースとを結合するときに、取付けビスをボトムケース２側の凹入部２１に開設したねじ挿通孔に挿入すること、その取付けビスをトップケース側のボス３１にドライバなどの工具を用いてねじ込んで締め付けること、などの煩わしい作業を行う必要があったためにケースの組立作業効率を高めにくかった。これに対し、ボトムケースとトップケースとの結合手段として上記したフック構造を採用したものでは、取付けねじの締付け箇所の数を少なくしたりその締付け箇所を無くしたりすることができるために組立作業効率を高めやすいということが云えるけれども、ボトムケース側のフックをトップケース側の係合孔に孔縁に一旦係止させてしまうと、そのフックを係合孔の孔縁から外すことが困難になるために、ケースを一旦組み立てた後で不具合が発見されたようなときにケースを分解してその不具合を修正することに不便があっただけでなく、フックを係合孔の孔縁から外す際にケースに傷付きなどのダメージを与えたり、フックを損傷したりするといういうことが多々あった。
【０００６】
一方、上掲の各特許文献によって提案されている技術は、テレビジョン受像機などの電気電子機器のキャビネットのパネルを取り付ける構造に関するものであり、そのキャビネットが本発明の対象であるリモートコンローラのケースに比べて一般的には大形であるために、その構造をそのままリモートコンローラのケースに適用することには困難が伴う。ましてや、特許文献１〜３によって提案されているものは、上記したフック構造に類似する構造を備えていて、取外し作業を容易にするための対策が講じられているものではない。また、特許文献４によって提案されているものは、上記した楔状の栓部を取付ボスから引き抜くことによって容易に取り外すことができるものではあるけれども、通常時にその栓部が取付ボスから抜け落ちることを防ぐための対策を講じることが余分に必要になる結果、必要部品点数が増大して組立工数が増えるという問題点を有している。
【０００７】
本発明は以上の状況も問題点に鑑みてなされたものであり、ボトムケースとトップケースとの結合手段に工夫を講じることにより、ビス止め構造を採用した場合に比べて組立作業性と分解作業性との両方を改善することのできるリモートコンローラのケース、特に、特別な分解用工具を必要とせずにそのケースに着脱される電池蓋を用いて分解作業を行うことのできるリモートコンローラのケースを提供することを目的とする。
【０００８】
また、本発明は、分解に際し、ケース本体に着脱される電池蓋を分解用の治具として利用することが可能であり、しかも、ケース本体に傷付きなどのダメージを与えるおそれのないリモートコンローラのケースを提供することを目的とする。
【０００９】
さらに、本発明は、追加の部品数を最少限度にとどめ、あるいは、部品を追加する必要を無くすることのできるにもかかわらず、組立分解を容易にかつ安全に行うことのできるリモートコンローラのケースを提供することを目的とする。
【課題を解決するための手段】
【００１０】
本発明に係るリモートコンローラのケースは、箱形に重ね合わされたボトムケースとトップケースとを結合することにより形成されたケース本体に対して、当該リモートコンローラの動作用電源としての乾電池を出し入れする際に取り外される電池蓋が着脱可能になっている。
【００１１】
そして、ボトムケースとトップケースとを結合している結合手段が、ボトムケースとトップケースとのうちの一方側に設けられた係合孔と、それらのうちの他方側に設けられて上記係合孔に挿入されてその係合孔の孔縁に係止する係合面を備えた連結杆とでなり、その連結杆に拡縮変形可能な割り溝を形成することによって上記係合面を上記係合孔に挿抜可能な内側位置と上記係合孔の孔縁に係止する外側位置との間で弾性変位可能に構成してあると共に、上記電池蓋に上記連結杆の割り溝を拡縮変形させるための操作片を追加して具備させてある。
【００１２】
この構成を備えたケースは、ボトムケースとトップケースとを箱形に重ね合わせることと併せて、結合手段を構成している連結杆を係合孔に挿入してその連結杆の係合面を係合孔の孔縁に係止させるという作業を行うだけでボトムケースとトップケースとが結合されるので、ケースの組立に際し、ビス止め作業を行う必要がなく、取付けビスを用いる必要もない。また、電池蓋に追加して具備させた操作片を使って連結杆の割り溝を縮小変形させることができ、そうすることによって、上記係合面を、係合孔の孔縁に係止する外側位置から係合孔に挿抜可能な内側位置に変位させることができるので、ケースの分解に際してドライバなどの工具を用いずに、電池蓋を用いるだけで一旦組み立てたケース本体を容易に分解することが可能になり、併せて、分解時のケースの傷付きや連結杆の損傷を防ぐことが可能になる。
【００１３】
本発明において、上記係合面は、連結杆に具備させた三角形の板片部の下端面によって形成するが可能であるけれども、好ましくは、上記係合面が、上記連結杆に一体に設けられた円錐状頭部の底面によって形成されていて、その円錐状頭部が上記割り溝により周方向で複数分割されている、という構成が採用される。そして、この構成を採用すると、円錐状頭部に大きな耐折損強度が確保されるために、ボトムケースとトップケースとの結合強度を大きく確保することが容易に可能になる。
【００１４】
本発明では、ボトムケースとトップケースとのうちの一方側に形成された凹入部の底壁に上記係合孔が開設されていて、ボトムケースとトップケースとを結合している結合手段の上記円錐状頭部が、上記凹入部によって形作られた凹所に収容されていることが望ましい。これによれば、円錐状頭部がケース本体の外面に突き出さなくなるために円錐状頭部が目立って見苦しくなるということがない。それにもかかわらず、電池蓋の操作片を使って円錐状頭部を縮径させて分解作業を行うことができる。
【００１５】
本発明では、上記円錐状頭部が上記割り溝により周方向で２分割されていて、電池蓋に形成されている上記操作片が、上記円錐状頭部の頂部を跨いでその円錐状頭部の傾斜した外周面を下向きに押圧することのできる二股状の突片部を有している、という構成を採用することが可能である。これによれば、電池蓋の操作片を用いて２分割された円錐状頭部のが傾斜した外周面を下向きに押圧するだけで、結合手段の上記係合面を、係合孔の孔縁に係止する外側位置から係合孔に挿抜可能な内側位置に変位させることができるため、ケースの分解に際してドライバなどの工具を用いずに一旦組み立てたケース本体を容易に分解することが可能になり、併せて、分解時のケースの傷付きや連結杆の損傷を防ぐことが可能になる。
【００１６】
また、本発明では、上記円錐状頭部の頂部に、その円錐状頭部の傾斜した外周面と共働して溝形部を形作る鍔部が備わり、その溝形部に、上記操作片を使って押下げられることによりその円錐状頭部を径内方向に押圧して上記割り溝を縮小変形させる操作リングが嵌合保持されている、という構成を採用することも可能である。これによれば、電池蓋の操作片を用いて操作リングを押し下げるだけで、結合手段の上記係合面を、係合孔の孔縁に係止する外側位置から係合孔に挿抜可能な内側位置に変位させることができるため、ケースの分解に際してドライバなどの工具を用いずに一旦組み立てたケース本体を容易に分解することが可能になり、併せて、分解時のケースの傷付きや連結杆の損傷を防ぐことが可能になる。
【００１７】
本発明では、上記電池蓋を上記ケース本体に装着したときにそのケース本体側の被係合部に係合されるロック用係合片がその電池蓋に備わっていると共に、そのロック用係合片の先端に、上記操作片が連設されている、という構成を採用することが望ましい。これによれば、ケース本体側の形状を変更することなく、電池蓋に操作片を一体に形成することが可能になる。
【００１８】
本発明に係るリモートコンローラのケースは、箱形に重ね合わされたボトムケースとトップケースとを結合することにより形成されたケース本体に対して、当該リモートコンローラの動作用電源としての乾電池を出し入れする際に取り外される電池蓋が着脱可能であり、かつ、上記ボトムケースとトップケースとの結合手段がビス止め構造によって形成されているリモートコンローラのケースにおいて、ボトムケースとトップケースとの結合手段としての上記ビス止め構造を省略する代わりに、その結合手段を、ボトムケースとトップケースとのうちの一方側に形成された凹入部の底壁に開設された係合孔と、それらのうちの他方側に設けられて上記係合孔に挿入されてその係合孔の孔縁に係止した係合面を備える連結杆とによって構成し、上記係合面を、上記連結杆に一体に設けられて上記割り溝により周方向で２分割された円錐状頭部の底面により形成することによって、その係合面を上記係合孔に挿抜可能な内側位置と上記係合孔の孔縁に係止する外側位置との間で弾性変位可能に構成してあると共に、上記円錐状頭部が上記凹入部によって形作られた凹所に収容され、上記電池蓋を上記ケース本体に装着したときにそのケース本体側の被係合部に係合されるロック用係合片がその電池蓋に備わり、そのロック用係合片の先端に上記連結杆の割り溝を拡縮変形させるための操作片が追加して連設され、その操作片の横幅寸法が上記円錐状頭部の底面の直径寸法よりも短く定められ、かつ、その操作片が上記円錐状頭部の頂部を跨いでその円錐状頭部の傾斜した外周面を下向きに押圧することのできる二股状の突片部を有している、という構成を採用することによっていっそう具体化される。この発明の作用などは後述する実施形態を参照して詳細に説明する。
【００１９】
また、本発明に係るリモートコンローラのケースは、箱形に重ね合わされたボトムケースとトップケースとを結合することにより形成されたケース本体に対して、当該リモートコンローラの動作用電源としての乾電池を出し入れする際に取り外される電池蓋が着脱可能であり、かつ、上記ボトムケースとトップケースとの結合手段がビス止め構造によって形成されているリモートコンローラのケースにおいて、ボトムケースとトップケースとの結合手段としての上記ビス止め構造を省略する代わりに、その結合手段を、ボトムケースとトップケースとのうちの一方側に形成された凹入部の底壁に開設された係合孔と、それらのうちの他方側に設けられて上記係合孔に挿入されてその係合孔の孔縁に係止した係合面を備える連結杆とによって構成し、上記係合面を、上記連結杆に一体に設けられて上記割り溝により周方向で２分割された円錐状頭部の底面により形成することによって、その係合面を上記係合孔に挿抜可能な内側位置と上記係合孔の孔縁に係止する外側位置との間で弾性変位可能に構成してあると共に、上記円錐状頭部が上記凹入部によって形作られた凹所に収容され、上記電池蓋を上記ケース本体に装着したときにそのケース本体側の被係合部に係合されるロック用係合片がその電池蓋に備わり、そのロック用係合片の先端に上記連結杆の割り溝を拡縮変形させるための操作片が追加して連設され、その操作片の横幅寸法が上記円錐状頭部の底面の直径寸法よりも短く定められ、上記円錐状頭部の頂部に、その円錐状頭部の傾斜した外周面と共働して溝形部を形作る鍔部が備わり、その溝形部に、上記操作片を使って押下げられることによりその円錐状頭部を径内方向に押圧して上記割り溝を縮小変形させる操作リングが嵌合保持されている、という構成を採用することによってもいっそう具体化される。この発明の作用などについても、後述する実施形態を参照して詳細に説明する。
【発明の効果】
【００２０】
以上のように、本発明に係るリモートコンローラのケースによると、ビス止め構造を採用した場合に比べて組立作業性と分解作業性との両方が改善されてその量産性が顕著に高められるだけでなく、電池蓋を分解用の治具として利用することが可能であるために、ケース本体や連結杆などに傷付きや破損などのダメージを与えずに容易に分解することが可能になる。その結果、組立後に不都合が発見されたような場合には、短時間で分解してその不都合を解消した後、再組立を迅速に行うことが可能になるという効果が奏される。さらに、追加の部品数を最少限度にとどめ、あるいは、部品を追加する必要を無くすることのできるので、組立分解を容易にかつ安全に行うことのできるリモートコンローラのケースを安価に提供することが可能になる。
【発明を実施するための最良の形態】
【００２１】
図１は本発明の実施形態に係るリモートコンローラのケースＡの部分縦断側面図、図２は図１の要部の拡大図、図３は分解作業工程を説明するための部分縦断側面図、図４は図２のＩＶ部拡大図、図５は連結杆６３の平面図、図６は操作リング７の平面図、図７は電池蓋５の平面図、図８は電池蓋５の本来の使用状態を示した縦断側面図であり、これらの図を参照して説明する実施形態は、たとえば請求項２に記載されているリモートコンローラのケースについてのものである。
【００２２】
図１において、１は偏平箱形に形作られた中空のケース本体であり、このケース本体１は、ボトムケース２とトップケース３とを重ね合わせると共に、結合手段６を介して両ケース２，３を結合することによって構成されている。ケース本体１には、配線基板１２や必要数のキートップ１４を備えたラバー１３が収容されていて、キートップ１４がトップケース３に形成されている開口からその表面側に突出している。そして、所定のキートップ１４を押し込むことにより、図示していない発光素子から光信号が出力されて電気電子機器、たとえばテレビジョン受像機やＤＶＤドライブなどの動作モードが制御される。
【００２３】
一方、ケース本体１には図７に示した略矩形の電池蓋５が着脱可能になっている。この電池蓋５には、その一辺中央部に山形のロック用係合片５１が一体に設けられている。そして、図８のように、ケース本体１に電池蓋５を装着したときには、その係合片５１がケース本体１のボトムケース２側に備わっている山形の被係合部２２に係合することによって当該電池蓋５がケース本体１にロックされるようになっている。また、図８で判るように、電池蓋５は、ケース本体１に備わっている電池ボックス１５を開閉することに用いられ、電池蓋５をケース本体１に装着して電池ボックス１５を閉じるときには、その電池蓋５を矢印Ｆ方向にスライドさせてその係合片５１を上記被係合部２２に係合させるのに対し、電池蓋５を取り外すときには、電池蓋５を反矢印Ｆ方向にスライドさせてその係合片５１を上記被係合部２２から離脱させるという操作が行われる。このような電池蓋５の開閉操作は、当該リモートコンローラの動作用電源としての乾電池１００を電池ボックス１５に対して出し入れする際に行われる。
【００２４】
次に、上記した結合手段６を説明する。
【００２５】
結合手段６はケース本体１の複数箇所に設けられていて、それらの結合手段６によってボトムケース２とトップケース３とが複数箇所で結合されている。図１又は図２に示されている結合手段６は、ボトムケース２に形成された凹入部６１の底壁に開設された係合孔６２と、トップケース３に内向きに突設された連結杆６３とを備えていて、その連結杆６３が円錐状頭部６４を一体に具備し、その円錐状頭部６４の底面によって形成されている係合面６５が上記係合孔６２の孔縁６２ａに係止されている。また、図５にも示したように、連結杆６３はその軸方向に延びる割り溝６６によって周方向で２つのアーム部６７，６７に分割されていることに加え、上記円錐状頭部６４の頂部には鍔部６８が備わり、その鍔部６８と円錐状頭部６４の下拡がりに傾斜した外周面とによって形作られた溝形部６９に操作リング７が嵌合保持されている。この操作リング７は図６のように平面視円板形に形成されている。なお、操作リング７を溝形部６９に嵌め込む作業は、ボトムケース２側の係合孔６２に連結杆６３の円錐状頭部６４を挿通させてその係合面６５を係合孔６２の孔縁６２ａに係止させた後、上記割り溝６６の幅を縮小させて鍔部６８を縮径させることにより行われる。なお、連結杆６３は、配線基板１２やラバー１３に形成されている開口に貫挿されている。
【００２６】
結合手段６が上記の構成を備え、その結合手段６によってボトムケース２とトップケース３とが結合されてケース本体１が形成されていると、ボトムケース２とトップケース３とをビス止めする必要がないので、組立ラインで煩わしいビス止め作業を行う必要がなくなってリモートコンローラの量産性が向上する。
【００２７】
ところで、ビス止めを行わずに上記結合手段６によってボトムケース２とトップケース３とをがたつきなく結合するためには、連結杆６３側に備わっている係合面６５でボトムケース２をトップケース３に押し付けさせておくことが有効である。そこで、この実施形態では、そのような係合面６５による押付け作用を確実に発揮させるために、図１又は図２のように係合面６５を上拡がりテーパ状の傾斜面として形成し、連結杆６３によって発揮される初期形状への弾性復帰作用によってその係合面６５が係合孔６２の孔縁６２ａを弾圧するように構成してある。こうしておくと、図４矢印ａのように係合面６５が係合孔６２の孔縁６２ａをトップケース３側に押圧するので、ボトムケース２がトップケース３に押し付けられて両者ががたつきなく結合される。
【００２８】
図７のように、電池蓋５のロック用係合片５１の先端に、そのロック用係合片５１と同一幅の操作片５２が追加して連設されている。そして、この操作片５２は、その横幅寸法が上記した円錐状頭部６４の底面（係合面６５）の直径寸法よりも短く定められている。このように電池蓋５に操作片５２を具備させておくと、結合手段６によって結合されているボトムケース２とトップケース３とを分解する際に、その電池蓋５を分解用の治具として利用することができる。すなわち、ケース本体１から取り外した電池蓋５の上記操作片５２を、図３に仮想線で示したように連結杆６３の割り溝６６に差し込んで電池蓋５を矢印Ｄのように押し下げると、その操作リング７の内周端が連結杆６３の円錐状頭部６４の外周面を滑って移動するので、それに伴って連結杆６３の割り溝６６が縮小変形して係合面６５が上記係合孔６２の孔縁６２ａに係止する外側位置からその係合孔６２に挿抜可能な内側位置まで弾性変位する。こうして係合面６５を内側位置に弾性変位させた状態では、円錐状頭部６４を係合孔６２から矢印Ｕのように引き抜くことによってトップケース３とボトムケース２とが分解される。
【００２９】
ここで、上記操作片５２は、その横幅寸法が上記した円錐状頭部６４の底面（係合面６５）の直径寸法よりも短く定められているために、ボトムケース２の凹入部６１によって形成されている凹所６１ａに無理なく挿入されることになる。また、操作片５２が電池蓋５のロック用係合片５１に追加して連設されていることにより、電池蓋５をボトムケース２に干渉させずにその操作片５２で操作リング７を押し下げることができる。したがって、ケース本体１を傷付けたりすることなく、そのケース本体１をボトムケース２とトップ３とに弁解することが可能になるという利点がある。また、連結杆６３の円錐状頭部６４が凹入部６１の凹所６１ａに収容されているので、円錐状頭部６４が目立つことがなくなってそれだけリモートコンローラＡの外観が良好になる。
【００３０】
この実施形態では、連結杆６３をトップケース３側に設け、係合孔６２をボトムケース２側に設けてあるけれども、この点は、連結杆６３をボトムケース側に設け、係合孔をトップケース側に設けることも可能である。
【００３１】
以上説明した実施形態では、分解に際して操作リング７を押し下げることによって連結杆６３の割り溝６６を縮小変形させる作業を行うものを説明したけれども、操作リング７を省略することも可能であり、その事例を図９及び図１０を参照して説明する。なお、図９及び図１０の事例はたとえば請求項１に記載されているリモートコンローラのケースについてのものである。
【００３２】
図９は他の実施形態についての分解作業工程を説明するための部分縦断側面図、図１０は同実施形態についての電池蓋５の平面図である。図９及び図１０の事例で、連結杆６４の円錐状頭部６４から図２などに示した鍔部６８を省略してある。また、電池蓋５の操作片５２に二股状の突片部５３，５３を具備させてある。その他の構成は図１又は図２を参照して説明したものと同様である。
【００３３】
この事例によると、図９のように円錐状頭部６４の頂部を跨いで操作片５２の二股状の突片部５３，５３を配備した後、電池蓋５を押し下げて円錐状頭部６４の傾斜した外周面を下向きに押圧すると、それに伴って連結杆６３の割り溝６６が縮小変形して係合面６５が係合孔６２の孔縁６２ａに係止する外側位置からその係合孔６２に挿抜可能な内側位置まで弾性変位する。こうして係合面６５を内側位置に弾性変位させた状態では、円錐状頭部６４を係合孔６２から引き抜くことによってトップケース３とボトムケース２とが分解される。その他の作用については、図１又は図２を参照して説明したリモートコンローラと同様に奏される。
【００３４】
以上説明したそれぞれの実施形態では、連結杆６３を２分割した事例を説明したけれども、この点は、連結杆６３を３分割しても、それより多い数に分割してもよい。
【図面の簡単な説明】
【００３５】
【図１】本発明の実施形態に係るリモートコンローラのケースの部分縦断側面図である。
【図２】図１の要部の拡大図である。
【図３】分解作業工程を説明するための部分縦断側面図である。
【図４】図２のＩＶ部拡大図である。
【図５】連結杆の平面図である。
【図６】操作リングの平面図である。
【図７】電池蓋の平面図である。
【図８】電池蓋の本来の使用状態を示した縦断側面図である。
【図９】他の実施形態についての分解作業工程を説明するための部分縦断側面図である。
【図１０】同実施形態についての電池蓋の平面図である。
【図１１】従来のリモートコンローラのケースの裏面図である。
【符号の説明】
【００３６】
Ａ  リモートコンローラ
１  ケース本体
２  ボトムケース
３  トップケース
５  電池蓋
６  結合手段
７  操作リング
２２  被係合部
５１  ロック用係合片
５２  操作片
５３  二股状の突片部
６１  凹入部
６１ａ  凹所
６２  係合孔
６２ａ  係合孔の孔縁
６３  連結杆
６５  係合面
６６  割り溝
１００  乾電池
【図１】
2007123298.tif 000003
【図２】
2007123298.tif 000004
【図３】
2007123298.tif 000005
【図４】
2007123298.tif 000006
【図５】
2007123298.tif 000007
【図６】
2007123298.tif 000008
【図７】
2007123298.tif 000009
【図８】
2007123298.tif 000010
【図９】
2007123298.tif 000011
【図１０】
2007123298.tif 000012
【図１１】
2007123298.tif 000013